(57)【要約】【課題】  気化設備から供給する燃料ガスの余剰分も燃料として利用する。【解決手段】  第１の気化設備３と第１の発電設備４を第１のガス供給ライン５により接続する。第２の気化設備６と第２の発電設備７を第２のガス供給ライン８により接続する。第１のガス供給ライン５と第２のガス供給ライン８との間に、流量調節弁１２と流量調整手段１３と圧力調整手段１４を備えたガス移送ライン１１を接続してガス供給設備を形成する。第１の気化設備３から第１のガス供給ライン５へ供給する天然ガス２に余剰分が生じる場合は、余剰分の天然ガス２を、ガス移送ライン１１を通して第２のガス供給ライン８へ移送し、第２の発電設備７の燃料として使用させる。【選択図】図１
2016084923.tif 000002
【特許請求の範囲】
【請求項１】
第１の気化設備と、
第１のガス消費設備と、
前記第１の気化設備から第１のガス消費設備へ燃料ガスを供給する第１のガス供給ラインと、
第２の気化設備と、
第２のガス消費設備と、
前記第２の気化設備から第２のガス消費設備へ燃料ガスを供給する第２のガス供給ラインと、
前記第１のガス供給ラインと第２のガス供給ラインとの間に接続したガス移送ラインと、
前記ガス移送ラインに設けた流量調節弁を備えたこと
を特徴とするガス供給設備。
【請求項２】
前記ガス移送ラインには流量調整手段を備え、
前記流量調整手段は、
前記流量調節弁を通過した後の燃料ガスの流量を計測する流量計と、
前記流量計から入力される流量検出値を基に前記流量調節弁の開度を制御する制御器とを備えた構成を有すること
を特徴とする請求項１記載のガス供給設備。
【請求項３】
前記制御器は、前記第１の気化設備から第１のガス供給ラインへの燃料ガスの供給量と、前記第１のガス消費設備での燃料ガスの消費量との差による燃料ガスの余剰分を基に設定される流量設定値により前記流量調節弁の開度を制御するものとしたこと
を特徴とする請求項２記載のガス供給設備。
【請求項４】
前記制御器は、前記第１のガス消費設備と第１の気化設備、又は、前記第２のガス消費設備と第２の気化設備のうち、一方のガス消費設備での燃料ガスの消費量と気化設備からの燃料ガスの供給量との差を、流量設定値として前記流量調節弁の開度を制御するものとしたこと
を特徴とする請求項２記載のガス供給設備。
【請求項５】
前記流量調節弁は、前記第１のガス供給ラインにおける燃料ガスを供給する供給圧力と、前記第２のガス供給ラインにおける燃料ガスを供給する供給圧力との圧力差を調整する機能を有するものとした
ことを特徴とする請求項１から請求項４のいずれか一項に記載のガス供給設備。
【請求項６】
前記ガス移送ラインには、前記第１のガス供給ラインにおける燃料ガスを供給する供給圧力と、前記第２のガス供給ラインにおける燃料ガスを供給する供給圧力との圧力差を調整する圧力調整手段を備えること
を特徴とする請求項１から請求項４のいずれか一項に記載のガス供給設備。
【請求項７】
前記第１のガス消費設備と第２のガス消費設備とを、共に発電設備としたこと
を特徴とする請求項１から請求項６のいずれか一項に記載のガス供給設備。
【発明の詳細な説明】
【技術分野】
【０００１】
本発明は、液化した燃料ガスを気化させる気化設備から、ガス消費設備へ燃料ガスを供給するガス供給設備に関するものである。
【背景技術】
【０００２】
燃料ガスの一例である天然ガスを燃料として消費する設備（ガス消費設備）としては、発電所が知られている。
【０００３】
天然ガスは、通常、使用に供するまでは液化した状態の液化天然ガス（ＬＮＧ）としてＬＮＧタンクに低温貯蔵されている。そのため、低温貯蔵されている液化天然ガスを使用する場合は、先ず、複数の気化器を用いて気化させて天然ガスを生成させる。次いで、各気化器で気化された天然ガスは、ガス供給ライン（送出母管）を通して発電所へ供給されるようにしてある（たとえば、特許文献１参照）。
【０００４】
前記特許文献１に示されたものでは、複数の気化器を備えた設備（気化設備）と、前記発電所のようなガス消費設備とが、前記ガス供給ラインを介して一対一の関係で接続されている。
【先行技術文献】
【特許文献】
【０００５】
【特許文献１】特開平９−１７８０９８号公報
【発明の概要】
【発明が解決しようとする課題】
【０００６】
ところで、気化設備からの天然ガスの供給量の増減と、ガス消費設備での消費量との増減は必ずしも一致しないことがあり、気化設備からの天然ガスの供給量が、ガス消費設備でのガス消費量を上回る事象が生じた場合は、ガス供給量とガス消費量との差により天然ガスに余剰が生じる。従来、この余剰分の天然ガスは、フレアースタックのような燃焼設備で燃焼させて処理されるか、あるいは、ベントスタックのような放出設備により大気中に放出させて処理されていることが多い。
【０００７】
そこで、本発明は、気化設備から供給される燃料ガスのガス供給量と、該気化設備にガス供給ラインを介して接続されたガス消費設備でのガス消費量との差によって生じる余剰の燃料ガスについて、燃料として利用を図るガス供給設備を提供しようとするものである。
【課題を解決するための手段】
【０００８】
本発明は、前記課題を解決するために、第１の気化設備と、第１のガス消費設備と、前記第１の気化設備から第１のガス消費設備へ燃料ガスを供給する第１のガス供給ラインと、第２の気化設備と、第２のガス消費設備と、前記第２の気化設備から第２のガス消費設備へ燃料ガスを供給する第２のガス供給ラインと、前記第１のガス供給ラインと第２のガス供給ラインとの間に接続したガス移送ラインと、前記ガス移送ラインに設けた流量調節弁を備えたガス供給設備とする。
【０００９】
前記構成において、前記ガス移送ラインには流量調整手段を備え、前記流量調整手段は、前記流量調節弁を通過した後の燃料ガスの流量を計測する流量計と、前記流量計から入力される流量検出値を基に前記流量調節弁の開度を制御する制御器とを備える構成とする。
【００１０】
更に、前記構成において、前記制御器は、前記第１の気化設備から第１のガス供給ラインへの燃料ガスの供給量と、前記第１のガス消費設備での燃料ガスの消費量との差による燃料ガスの余剰分を基に設定される流量設定値により前記流量調節弁の開度を制御する構成とする。
【００１１】
同様に、前記構成において、前記制御器は、前記第１のガス消費設備と第１の気化設備、又は、前記第２のガス消費設備と第２の気化設備のうち、一方のガス消費設備での燃料ガスの消費量と気化設備からの燃料ガスの供給量との差を、流量設定値として前記流量調節弁の開度を制御する構成とする。
【００１２】
又、前記構成において、前記流量調節弁は、前記第１のガス供給ラインにおける燃料ガスを供給する供給圧力と、前記第２のガス供給ラインにおける燃料ガスを供給する供給圧力との圧力差を調整する機能を有する構成とする。
【００１３】
更に、前記構成において、前記ガス移送ラインには、前記第１のガス供給ラインにおける燃料ガスを供給する供給圧力と、前記第２のガス供給ラインにおける燃料ガスを供給する供給圧力との圧力差を調整する圧力調整手段を備える構成とする。
【００１４】
更に又、前記構成において、前記第１のガス消費設備と第２のガス消費設備とを、共に発電設備とした構成とする。
【発明の効果】
【００１５】
本発明のガス供給設備によれば、気化設備からの燃料ガスの供給量と、該気化設備にガス供給ラインを介して接続されたガス消費設備でのガス消費量との差によって生じる余剰の燃料ガスを、燃料として利用を図ることができる。
【図面の簡単な説明】
【００１６】
【図１】ガス供給設備の第１実施形態を示す概要図である。
【図２】ガス供給設備の第２実施形態を示す概要図である。
【発明を実施するための形態】
【００１７】
本発明のガス供給設備について、図面を参照して説明する。
【００１８】
［第１実施形態］
図１は、ガス供給設備の第１実施形態の概要を示すものである。
【００１９】
本実施形態のガス供給設備は、液化した燃料ガスとして、たとえば、液化天然ガス１の気化処理を行う第１の気化設備３と、第１のガス消費設備としての第１の発電設備４と、第１の気化設備３で気化させた燃料ガス（気体燃料）としての天然ガス２を第１の発電設備４へ供給する第１のガス供給ライン５とを備える。
【００２０】
更に、本実施形態のガス供給設備は、液化天然ガス１の気化処理を行う第２の気化設備６と、第２のガス消費設備としての第２の発電設備７と、第２の気化設備６で気化させた天然ガス２を第２の発電設備７へ供給する第２のガス供給ライン８とを備える。
【００２１】
なお、本実施形態のガス供給設備では、第１の気化設備３と、第１の発電設備４は、共に、新たに建設されて試運転を行う必要がある気化設備と、発電設備である。
【００２２】
たとえば、第１の気化設備３の試運転では、第１の気化設備３からの天然ガス２の供給量ｓ１が第１の発電設備４での消費量ｃ１を上回る事象が生じる場合がある。
【００２３】
一方、第２の気化設備６と、第２の発電設備７は、既に通常の運用が開始されている気化設備と、発電設備である。
【００２４】
各気化設備３，６は、単数又は複数の気化器９を備えている。なお、図１では、各気化設備３，６における気化器９の数を、３台ずつとして示したが、個々の気化器９の気化処理能力と、各気化設備３，６に所望される天然ガス２の供給量に応じて、気化器９の数は自在に変更してもよい。又、第１の気化設備３と第２の気化設備６は、それぞれ異なる数の気化器９を備えるものとしてもよいことは勿論である。
【００２５】
各発電設備４，７は、単数又は複数の発電機１０を備えている。なお、図１では、各発電設備４，７における発電機１０の数を、３台ずつとして示したが、個々の発電機１０の発電能力と、各発電設備４，７に所望される発電量に応じて、発電機１０の数は自在に変更してもよい。又、第１の発電設備４と第２の発電設備７は、それぞれ異なる数の発電機１０を備えるものとしてもよいことは勿論である。
【００２６】
本実施形態では、第１の気化設備３からの天然ガス２の供給量ｓ１が第１の発電設備４での消費量ｃ１を上回る事象が生じて、供給量ｓ１と消費量ｃ１との差により余剰の天然ガス２が生じる場合についての構成を説明する。又、第１の気化設備３から第１の発電設備４へ第１のガス供給ライン５を通して供給する天然ガス２の供給圧力Ｐ１は、第２の気化設備６から第２の発電設備７へ第２のガス供給ライン８を通して供給する天然ガス２の供給圧力Ｐ２よりも高く設定されているものとする（Ｐ１＞Ｐ２）。
【００２７】
そこで、本実施形態では、第１のガス供給ライン５と第２のガス供給ライン８との間にガス移送ライン１１が備えられている。ガス移送ライン１１は、上流側端部が第１のガス供給ライン５に接続され、下流側端部が第２のガス供給ライン８に接続されている。
【００２８】
更に、ガス移送ライン１１には、流量調節弁１２と流量調整手段１３と圧力調整手段１４が備えられている。なお、説明の便宜上、ガス移送ライン１１は、第１のガス供給ライン５側を上流側、第２のガス供給ライン８側を下流側と云うものとする。
【００２９】
流量調節弁１２は、ガス移送ライン１１を通して第１のガス供給ライン５側から第２のガス供給ライン８側へ移送する天然ガス２の流量を調節するためのものである。
【００３０】
圧力調整手段１４は、第１のガス供給ライン５より供給圧力Ｐ１でガス移送ライン１１に導かれる天然ガス２の圧力を、第２のガス供給ライン８における天然ガス２の供給圧力Ｐ２に合わせるための調整機能を有するものである。
【００３１】
前述したように、第１のガス供給ライン５側の供給圧力Ｐ１は、第２のガス供給ライン８側の供給圧力Ｐ２よりも高くなっている。そのため、本実施形態では、流量調節弁１２が、二次側圧力が供給圧力Ｐ２と同じ圧力に設定された減圧弁とされている。これにより、図１に示すように、流量調節弁１２は、圧力調整手段１４を兼ねるものとされている。
【００３２】
流量調整手段１３は、流量計１５と制御器１６とにより構成されている。
【００３３】
流量計１５は、ガス移送ライン１１における流量調節弁１２よりも下流側位置に設けられていて、流量調節弁１２を通過した天然ガス２の流量を計測するものである。
【００３４】
制御器１６は、予め流量設定値が設定されていて、流量計１５から入力される流量検出値を基に流量調節弁１２の開度を制御するものである。具体的には、制御器１６は、流量計１５により検出される天然ガス２の流量の実測値、すなわち、ガス移送ライン１１を通して第２のガス供給ライン８へ移送される天然ガス２の流量の実測値が、流量設定値に一致するように、流量調節弁１２の開度をフィードバック制御する機能を備えている。これにより、ガス移送ライン１１を通して第２のガス供給ライン８へ移送される天然ガス２の流量が、流量設定値に対応した流量に調整される。この流量設定値については後述する。
【００３５】
ところで、通常、第１の気化設備３から第１のガス供給ライン５へ天然ガス２を供給するときの供給圧力Ｐ１は、第１の発電設備４の要求圧力に応じて一定に定められている。同様に、第２の気化設備６から第２のガス供給ライン８へ天然ガス２を供給するときの供給圧力Ｐ２は、第２の発電設備７の要求圧力に応じて一定に定められている。しかし、これらの供給圧力Ｐ１，Ｐ２は、天然ガス２の需要と供給のバランスに応じて多少変動することがある。
【００３６】
しかし、天然ガス２は圧縮性流体であるために、第１の気化設備３からの供給量ｓ１と第１の発電設備４での消費量ｃ１との差によって生じる余剰の天然ガス２の量を正確に知るためには、第１のガス供給ライン５における供給圧力Ｐ１の実測値による補正が必要になる。又、ガス移送ライン１１を通して第２のガス供給ライン８へ移送される天然ガス２の量を正確に知るためには、ガス移送ライン１１における流量調節弁１２の下流側での天然ガス２の圧力の実測値による補正が必要になる。
【００３７】
そこで、本実施形態では、図１に示すように、第１のガス供給ライン５に、供給圧力Ｐ１を実測するための圧力発信器１７が設けられている。この圧力発信器１７より圧力計測値の信号を受ける圧力制御器１８が、制御器１６に接続されている。これにより、制御器１６には、圧力制御器１８より、供給圧力Ｐ１の実測値が入力される。
【００３８】
制御器１６は、前述した第１の気化設備３からの天然ガス２の供給量ｓ１と、第１の発電設備４での天然ガス２の消費量ｃ１との差によって算出される天然ガス２の余剰分の流量の値（ｓ１−ｃ１）を、供給圧力Ｐ１の実測値により補正する。更に、制御器１６は、その補正後の流量について、供給圧力Ｐ１の実測値から供給圧力Ｐ２まで減圧されるときの換算を行い、その結果得られる値が、流量調節弁１２での制御目標とする流量設定値として設定される。
【００３９】
更に、ガス移送ライン１１における流量調節弁１２よりも下流側位置で、且つ流量計１５と干渉しない位置には、別の圧力制御器１９が設けられている。この圧力制御器１９による圧力の実測値を基に、流量計１５より制御器１６に入力される天然ガス２の流量検出値が補正される。
【００４０】
ガス移送ライン１１における流量調節弁１２よりも上流側位置には遮断弁２０が設けられている。この遮断弁２０には、遠隔操作によって遮断弁２０の開閉操作を行わせるための開閉信号２３が入力される。これにより、遮断弁２０は、開操作と閉操作に伴って、第１のガス供給ライン５から余剰分の天然ガス２を第２のガス供給ライン８側へ移送する処理の開始と停止とを切り換えることができるようになっている。
【００４１】
更に、遮断弁２０には、ガス移送ライン１１における流量調節弁１２よりも下流側で、且つ流量計１５及び圧力制御器１９に干渉しない位置に設けられた圧力検知式のインターロック手段２１が接続されている。このインターロック手段２１は、流量調節弁１２よりも下流側のガス移送ライン１１での天然ガス２の圧力を常時監視して、この圧力が予め設定されている圧力上限値を超えると、遮断弁２０を閉止させるものである。かかる構成では、ガス移送ライン１１を通して第１のガス供給ライン５側から余剰の天然ガス２を第２のガス供給ライン８側へ移送しているときに、たとえば、予期しない要因により、ガス移送ライン１１の流量調節弁１２の下流側での圧力が過度に高まった場合（異常高の場合）でも、インターロック手段２１により遮断弁２０が閉止されるので、第２のガス供給ライン８側への天然ガス２の移送を停止することができる。
【００４２】
ガス移送ライン１１における流量計１５、圧力制御器１９、インターロック手段２１よりも下流側には、地震動を感知した時に閉動作を行う遮断弁（緊急遮断弁）２２が設けられていることが望ましい。この遮断弁２２は、平常時は常に開状態とされている。又、遮断弁２２の開動作は、遠隔操作により行うようにしてもよい。
【００４３】
なお、図示してないが、各気化設備３，６には、液化天然ガス１の供給源として、たとえば、ＬＮＧタンク等が接続されている。この場合、各気化設備３，６に接続される液化天然ガス１の供給源は、それぞれ別々の供給源であってもよいし、共通の供給源であってもよい。
【００４４】
以上の構成としてある本実施形態のガス供給設備は、第１の気化設備３の試運転時において、第１の気化設備３からの天然ガス２の供給量ｓ１に比して、第１の発電設備４での天然ガス２の消費量ｃ１が少ない状態（ｓ１＞ｃ１）となっている場合に、余剰分の天然ガス２の第２のガス供給ライン８側への移送を開始する。この際、第１の発電設備４が、たとえば未完成で全く稼動していない場合は、消費量ｃ１はゼロとなるので、第１の気化設備３からの供給量ｓ１の全量を余剰分として第２のガス供給ライン８側へ移送させる。
【００４５】
第２の気化設備６では、通常時は、天然ガス２の供給量ｓ２が、第２の発電設備７での天然ガス２の消費量ｃ２に一致するように制御されて運転されている（ｓ２＝ｃ２）。更に、第２の気化設備６は、第２の発電設備７に、その消費量ｃ２に応じた量の天然ガス２が供給されるように、第２の気化設備６から第２のガス供給ライン８へ供給される天然ガス２の供給量ｓ２が自動的に制御されるようにしてある。この制御は、たとえば、マスタ流量制御によって行われるようにすればよい。
【００４６】
この状態で、本実施形態のガス供給設備を使用する場合は、予め制御器１６に、第１の気化設備３からの天然ガス２の供給量ｓ１と、第１の発電設備４での消費量ｃ１との差に基づく余剰の天然ガス２の量（流量）を、入力しておく。
【００４７】
以上の状態で、開閉信号２３により遮断弁２０を開操作させると、第１の気化設備３から第１のガス供給ライン５へ供給される天然ガス２の余剰分が、ガス移送ライン１１へ導かれる。このガス移送ライン１１へ導かれた天然ガス２は、流量調節弁１２により、第２のガス供給ライン８側の供給圧力Ｐ２に一致するように減圧されると共に、その流量が、第１の発電設備４では消費できない天然ガス２の余剰分に対応する流量に調整された状態で、第２のガス供給ライン８側へ移送される。
【００４８】
このようにしてガス移送ライン１１から第２のガス供給ライン８へ移送された天然ガス２は、第２の気化設備６から供給される天然ガス２と共に、第２のガス供給ライン８を経て第２の発電設備７に供給され、発電機１０で燃料として消費される。
【００４９】
この際、第２のガス供給ライン８では、第２の気化設備６から供給される天然ガス２に、第１のガス供給ライン５側で生じた余剰分の天然ガス２が足されることになるが、第２の気化設備６では、第２の発電設備７に、その消費量ｃ２に応じた量の天然ガス２が供給されるように、第２の気化設備６から第２のガス供給ライン８へ供給される天然ガス２の供給量ｓ２が、自動的にｓ２＜ｃ２になるように制御される。したがって、第２の発電設備７に対する天然ガス２の供給は、過多にならないようにしてある。
【００５０】
その後、たとえば、第１の気化設備３の試運転を終了した場合等、第１の気化設備３からの天然ガス２の供給量ｓ１と、第１の発電設備４での天然ガス２の消費量ｃ１が等しくなると、第１のガス供給ライン５に供給される天然ガス２に余剰が生じなくなる。この場合には、流量調節弁１２が徐々に閉止される。その後、遮断弁２０は、開閉信号２３が与えられて閉止される。これにより、第１のガス供給ライン５側から第２のガス供給ライン８側へのガス移送ライン１１を介した天然ガス２の移送は停止される。
【００５１】
これに伴い、第２の気化設備６では、天然ガス２の供給量ｓ２が、第２の発電設備７での天然ガス２の消費量ｃ２に再び一致するように制御される（ｓ２＝ｃ２）。
【００５２】
このように、本実施形態のガス供給設備によれば、第１の気化設備３から第１のガス供給ライン５に供給する天然ガス２に、第１の発電設備４では消費し切れない余剰が生じた場合に、その余剰分の天然ガス２は、第２の発電設備７に移送して燃料として使用させることができる。
【００５３】
したがって、第１の発電設備４での天然ガス２の消費量ｃ１が、第１の気化設備３からの天然ガス２の供給量ｓ１よりも少ない場合、更には、第１の発電設備４が稼動していない場合であっても、第１の気化設備３からの天然ガス２の余剰分を燃料として使用できる状態で、第１の気化設備３の試運転を行うことができる。
【００５４】
［第２実施形態］
図２は、ガス供給設備の第２実施形態の概要を示すものである。
【００５５】
本実施形態のガス供給設備では、図１に示したと同様の構成において、第１の気化設備３及び第１の発電設備４、並びに、第２の気化設備６及び第２の発電設備７を、いずれも既に通常の運用が開始されている気化設備と、発電設備とする。更に、本実施形態は、図２に示すように、第２の発電設備７での天然ガス２の消費量ｃ２に対し、第２の気化設備６から第２のガス供給ライン８に供給する天然ガス２の供給量ｓ２に不足が生じる場合、すなわち、ｃ２＞ｓ２となる場合の適用例を示すものである。
【００５６】
このような状況は、たとえば、第２の気化設備６における複数の気化器９のうちの一部の気化器９について、保守、点検等のために運転を停止させているときに、第２の発電設備７での発電量を増加させる必要が生じた場合に生じる。
【００５７】
本実施形態では、このような状況に対応するために、制御器１６ａは、第２のガス供給ライン８側で生じる天然ガス２の消費量ｃ２と、供給量ｓ２との差の値（ｃ２−ｓ２）を、流量調節弁１２での制御目標とする流量設定値として設定するようにしてある。
【００５８】
なお、本実施形態では、第１の気化設備３は、通常時は、天然ガス２の供給量ｓ１が、第１の発電設備４での天然ガス２の消費量ｃ１に一致するように制御されて運転されている（ｓ１＝ｃ１）。更に、第１の気化設備３は、第１の発電設備４に、その消費量ｃ１に応じた量の天然ガス２が供給されるように、第１の気化設備３から第１のガス供給ライン５へ供給される天然ガス２の供給量ｓ１が自動的に制御されるようにしてある。この制御は、たとえば、マスタ流量制御によって行われるようにすればよい。
【００５９】
その他、図１に示したものと同一のものには同一の符号を付してその説明は省略する。
【００６０】
以上の構成としてある本実施形態のガス供給設備は、第２の発電設備７での天然ガス２の消費量ｃ２に対し、第２の気化設備６から第２のガス供給ライン８に供給する天然ガス２の供給量ｓ２に不足が生じた状態のときに、開閉信号２３により遮断弁２０を開操作させる。
【００６１】
これにより、第１の気化設備３から第１のガス供給ライン５へ供給される天然ガス２のうちの一部が、ガス移送ライン１１へ導かれる。このガス移送ライン１１へ導かれた天然ガス２は、流量調節弁１２により、第２のガス供給ライン８側の供給圧力Ｐ２に一致するように減圧されると共に、その流量が、前記所定の流量設定値（ｃ２−ｓ２）に対応する流量に調整された状態で、第２のガス供給ライン８側へ移送される。
【００６２】
そのため、ガス移送ライン１１から第２のガス供給ライン８へ移送された天然ガス２は、第２の気化設備６から供給される天然ガス２と共に、第２の発電設備７に供給されて、発電機１０で燃料として消費される。
【００６３】
したがって、第２の発電設備７は、天然ガス２の消費量ｃ２に不足のない状態で運転が行われる。
【００６４】
なお、第１のガス供給ライン５では、第１の気化設備３から供給される天然ガス２の一部が、ガス移送ライン１１へ導かれるようになるが、第１の気化設備３では、第１の発電設備４に、その消費量ｃ１に応じた量の天然ガス２が供給されるように、第１の気化設備３から第１のガス供給ライン５へ供給される天然ガス２の供給量ｓ１が、自動的にｓ１＞ｃ１になるように制御される。すなわち、第１の気化設備３から第１のガス供給ライン５に供給される天然ガス２の供給量ｓ１は、第１の発電設備４での消費量ｃ１に対し、前記のようにガス移送ライン１１を通して第２のガス供給ライン８側へ移送される天然ガス２の流量に対応する分の余剰が生じるように、増量される。したがって、第１の発電設備４に対する天然ガス２の供給は、不足することがないようにしてある。
【００６５】
その後、たとえば、第２の気化設備６での気化器９の保守、点検が終了して、天然ガス２の供給量ｓ２が増加したり、第２の発電設備７で必要とされる発電量が低下して消費量ｃ２が低下したりすると、第２の発電設備７での消費量ｃ２に対する第２の気化設備６からの供給量ｓ２に不足が生じなくなる。この場合には、流量調節弁１２が徐々に閉止される。その後、遮断弁２０は、開閉信号２３が与えられて閉止される。これにより、第１のガス供給ライン５側から第２のガス供給ライン８側へのガス移送ライン１１を介した天然ガス２の移送は停止される。
【００６６】
これに伴い、第１の気化設備３では、天然ガス２の供給量ｓ１が、第１の発電設備４での天然ガス２の消費量ｃ１に再び一致するように制御される（ｓ１＝ｃ１）。
【００６７】
このように、本実施形態のガス供給設備によれば、第２の気化設備６から第２のガス供給ライン８に供給する天然ガス２の供給量ｓ２が、第２の発電設備７での消費量ｃ２に比して不足している場合でも、第１の気化設備３から第１のガス供給ライン５に供給する天然ガス２に、強制的に余剰分を生じさせて、この余剰分の天然ガス２を、第２の発電設備７に移送して燃料として使用できる。
【００６８】
したがって、第１の気化設備３を、第２の気化設備６の供給量ｓ２の不足分を補填するための気化設備として機能させることができる。
【００６９】
なお、本発明は、前記各実施形態にのみ限定されるものではなく、各実施形態では、流量調節弁１２を、二次側圧力が供給圧力Ｐ２と同じ圧力に設定された減圧弁として圧力調整手段１４を兼ねるものとして示したが、図１に二点鎖線で示すように、ガス移送ライン１１における流量調節弁１２よりも上流側で、且つ遮断弁２０よりも下流側となる位置に、流量調節弁１２とは別体の圧力調整手段１４ａを設けるようにしてもよい。この圧力調整手段１４ａは、第１のガス供給ライン５側における供給圧力Ｐ１が、第２のガス供給ライン８側における供給圧力Ｐ２よりも高い場合は、減圧弁のような減圧手段を用いるようにすればよい。又、第１のガス供給ライン５側における供給圧力Ｐ１が、第２のガス供給ライン８側における供給圧力Ｐ２よりも低い場合は、圧力調整手段１４ａは、昇圧手段を用いるものとすればよい。
【００７０】
第１の気化設備３の下流側に第１のガス供給ライン５を介して接続される第１のガス消費設備は、天然ガス２を消費するものであれば、発電設備以外のいかなる形式のガス消費設備であってもよい。
【００７１】
同様に、第２の気化設備６の下流側に第２のガス供給ライン８を介して接続される第２のガス消費設備は、天然ガス２を消費するものであれば、発電設備以外のいかなる形式のガス消費設備であってもよい。
【００７２】
本発明のガス供給設備は、液化した燃料ガスを気化器９で気化させてからガス消費設備に送る必要がある燃料ガスであれば、プロパンガス等、天然ガス以外の燃料ガスの供給設備として適用してもよい。
【００７３】
ガス移送ライン１１に設ける流量計１５と圧力制御器１９とインターロック手段２１の上下流方向の順序は、図示した以外の任意の順序に設定してもよい。
【００７４】
第２実施形態において、第１のガス供給ライン５と第２のガス供給ライン８との間に、図２に示したと同様に遮断弁２０、流量調節弁１２、圧力調整手段１４、流量調整手段１３を備えたガス移送ライン１１を、第２のガス供給ライン８側を上流側、第１のガス供給ライン５側を下流側にした状態で更に追加して接続した構成としてもよい。この構成によれば、第１の気化設備３と第２の気化設備６とを、互いの供給量ｓ１と供給量ｓ２の不足分を相互に補填するための気化設備として機能させることができる。
【００７５】
各実施形態において、第１の気化設備３及び第２の気化設備６には、余剰の天然ガス２を処理するための手段として、従来と同様のフレアースタックのような燃焼設備や、ベントスタックのような放出設備は備えていてもよい。
【００７６】
その他本発明の要旨を逸脱しない範囲内で種々変更を加え得ることは勿論である。
【符号の説明】
【００７７】
２  天然ガス（燃料ガス）、３  第１の気化設備、４  第１の発電設備（第１のガス消費設備）、５  第１のガス供給ライン、６  第２の気化設備、７  第２の発電設備（第２のガス消費設備）、８  第２のガス供給ライン、１１  ガス移送ライン、１２  流量調節弁、１３  流量調整手段、１４，１４ａ  圧力調整手段、１５  流量計、１６，１６ａ  制御器、ｃ１，ｃ２  消費量、ｓ１，ｓ２  供給量
【図１】
2016084923.tif 000003
【図２】
2016084923.tif 000004